(57)【要約】【解決手段】各余長収納領域７ｓ、７ｔに、それぞれ、１本の光ファイバ心線トレーＦ１〜Ｆ５の余長のみが収納されるように構成された光ファイバ心線トレーに関するものである。【効果】本発明の光ファイバ心線トレーに形成された各余長収納領域（各上面側余長収納領域７ｓ及び各下面側余長収納領域７ｔ）には、それぞれ、１本の光ファイバ心線トレーの余長のみが収納されるように構成されているので、１つの余長収納領域に、複数本の光ファイバ心線がまとめて収納されている従来の光ファイバ心線トレーに比べ、配線替え作業等の作業の必要な所望の光ファイバ心線を容易に探し出すことができ、従って、配線替え作業等の作業性が向上する。【選択図】図７
2005070478.tif 000002
【特許請求の範囲】
【請求項１】
各余長収納領域に、それぞれ、１本の光ファイバ心線トレーの余長のみが収納されるように構成されていることを特徴とする光ファイバ心線トレー。
【請求項２】
底板の上面に、上面側余長収納領域が形成されているとともに、底板の下面にも、下面側余長収納領域が形成されていることを特徴とする請求項１に記載の光ファイバ心線トレー。                                                    
【発明の詳細な説明】
【技術分野】
【０００１】
本発明は、光ファイバ心線を収容するための光ファイバ心線トレーに関するものである。
【背景技術】
【０００２】
従来、略長方形状の底板と該底板の周縁に沿って立設された側壁とから箱形に形成された光ファイバ心線トレーが知られており、このような光ファイバ心線トレーには、光ファイバ心線導出入部や余長収納領域や溶着スリーブ収納部等が形成されている。光ファイバ心線導入部から、光ファイバ心線トレーに導入された光ファイバ心線は、所定巻き巻回されて、余長として余長収納領域に配置されるとともに、他の光ファイバ心線と溶着スリーブを介して接続され、光ファイバ心線導出部を経て光ファイバ心線トレーから排出され、また、溶着スリーブは、溶着スリーブ収納部に収納される。そして、余長収納領域には、複数本の光ファイバ心線が収納されるように構成されている。このような光ファイバ心線トレーは、一例として、特許文献１に開示されている。
【特許文献１】特開平７−２８７１２８号公報
【発明の開示】
【発明が解決しようとする課題】
【０００３】
上述した従来の光ファイバ心線トレーにおいては、光ファイバ心線の余長収納領域には、複数本の光ファイバ心線がまとめて収納されているために、所定の光ファイバ心線の配線替え作業や新規光ファイバ心線の接続作業等の際には、複数本の光ファイバ心線がまとめて収納されている余長収納領域から、配線替え作業を必要とする所定の光ファイバ心線を探し出さなければならず、従って、配線替え作業等の作業性が悪くなるという問題があった。
【０００４】
また、上述した従来の光ファイバ心線トレーにおいては、配線替え作業を必要とする所定の光ファイバ心線を探し出すために、配線替え作業を必要としない光ファイバ心線を動かすことになるので、配線替え作業を必要としない光ファイバ心線の伝送エラーを誘発したり、光ファイバ心線が損傷するという問題があった。
【０００５】
更に、上述した従来の光ファイバ心線トレーにおいては、底板の一方の面にのみに、光ファイバ心線導出入部や余長収納領域や溶着スリーブ収納部等が形成されており、底板のもう一方の面には、このような光ファイバ心線導出入部や余長収納領域や溶着スリーブ収納部等が形成されていないので、光ファイバ心線の収納効率が悪いという問題があった。
【０００６】
本発明の目的は、上述した従来の光ファイバ心線トレーが有する課題を解決することにある。
【課題を解決するための手段】
【０００７】
本発明は、上述した目的を達成するために、第１には、各余長収納領域に、それぞれ、１本の光ファイバ心線トレーの余長のみが収納されるように構成したものであり、第２には、底板の上面に、上面側余長収納領域を形成するとともに、底板の下面にも、下面側余長収納領域を形成したものである。
【発明の効果】
【０００８】
本発明は、以上説明したように構成されているので、以下に記載されるような効果を有する。
【０００９】
各余長収納領域に、それぞれ、１本の光ファイバ心線トレーの余長のみが収納されるように構成したので、１つの余長収納領域に、複数本の光ファイバ心線がまとめて収納されている従来の光ファイバ心線トレーに比べ、配線替え作業等の作業の必要な所望の光ファイバ心線を容易に探し出すことができ、従って、配線替え作業等の作業性が向上する。
【００１０】
また、各余長収納領域に、それぞれ、１本の光ファイバ心線トレーの余長のみが収納されるように構成したので、配線替え作業等の作業を必要としない光ファイバ心線を動かすようなことはないので、配線替え作業等の作業を必要としない光ファイバ心線の伝送エラーの誘発や光ファイバ心線の損傷を防止することができる。
【００１１】
底板の上面に、上面側余長収納領域を形成するとともに、底板の下面にも、下面側余長収納領域を形成したので、光ファイバ心線トレーの収納効率が向上する。
【実施例】
【００１２】
以下に、本発明の実施例について説明するが、本発明の趣旨を越えない限り何ら、本実施例に限定されるものではない。
【００１３】
１は、略長方形の底板であり、底板１の相対する長辺の一方の長辺は、直線状に形成されており、この直線状の長辺には、直線状側壁２が、底板１に対して垂直に形成されている。もう一方の長辺には、直線状側壁２と略平行な直線状側壁部３ａと、底板１の両端部に位置する略四半分の一の円弧辺に形成された円弧状側壁部３ｂと、直線状側壁２と略平行な端部直線状側壁部３ｃとから構成される曲線状側壁３が、底板１に対して垂直に形成されている。また、底部１は、同じ高さに形成された直線状側壁２及び曲線状側壁３の高さＨ１の中間に位置するように配置されている。
【００１４】
底板１の上面１ｓと直線状側壁２と曲線状側壁３とで囲まれた上方が開放された空間部Ａに、後述するように、光ファイバ心線の余長が収納されるとともに、底板１の下面１ｔと直線状側壁２と曲線状側壁３とで囲まれた下方が開放された空間部Ｂにも、後述するように、光ファイバ心線の余長が収納されるように構成されている。なお、以下においては、上記の空間部Ａを、上面側余長収納空間部と称し、上記の空間部Ｂを、下面側余長収納空間部と称する。また、上面側余長収納空間部Ａ及び下面側余長収納空間部Ｂには、後述する光ファイバ心線導入部、光ファイバ心線導出部、余長収納領域、該余長収納領域に収納された光ファイバ心線の上方への移動を阻止する係止舌片、光ファイバ心線をガイドするガイド部材等が、それぞれ配設されているが、上面側余長収納空間部Ａに配設された光ファイバ心線導入部、光ファイバ心線導出部、余長収納領域、係止舌片、ガイド部材等には、説明の都合上、算用数字に、「ｓ」が付されており、また、下面側余長収納空間部Ｂに配設された光ファイバ心線導入部、光ファイバ心線導出部、余長収納領域、係止舌片、ガイド部材等には、説明の都合上、算用数字に「ｔ」が付されている。
【００１５】
上述した直線状側壁２と曲線状側壁３の端部直線状側壁部３ｃとに挟まれた底板１の上面１ｓには、直線状側壁２と端部直線状側壁部３ｃと略平行に、複数の上面側区画壁４ｓが立設されており、また、直線状側壁２と曲線状側壁３の端部直線状側壁部３ｃとに挟まれた底板１の下面１ｔには、直線状側壁２と端部直線状側壁部３ｃと略平行に、複数の下面側区画壁４ｔが垂設されている。そして、直線状側壁２と該直線状側壁２に隣接する上面側区画壁４ｓとの間、隣接する上面側区画壁４ｓ間及び曲線状側壁３の端部直線状側壁部３ｃと該端部直線状側壁部３ｃに隣接する上面側区画壁４ｓとの間に、上面側光ファイバ心線導入部５ｓを構成する複数の光ファイバ心線導入口５１ｓ及び上面側光ファイバ心線導出部６ｓを構成する複数の光ファイバ心線導出口６１ｓが形成されており、同様に、直線状側壁２と該直線状側壁２に隣接する下面側区画壁４ｔとの間、隣接する下面側区画壁４ｔ間及び曲線状側壁３の端部直線状側壁部３ｃと該端部直線状側壁部３ｃに隣接する下面側区画壁４ｔとの間に、下面側光ファイバ心線導入部５ｔを構成する複数の光ファイバ心線導入口５１ｔ及び下面側光ファイバ心線導出部６ｔを構成する複数の光ファイバ心線導出口６１ｔが形成されている。
【００１６】
底板１の上面１ｓには、直線状側壁２に沿って、複数の上面側余長収納領域７ｓが形成されており、同様に、底板１の下面１ｔには、直線状側壁２に沿って、複数の下面側余長収納領域７ｔが形成されている。本実施例には、底板１の上面１ｓ及び下面１ｔに、それぞれ、５個所ずつ、上面側余長収納領域７ｓ及び下面側余長収納領域７ｔが形成されている例が示されている。
【００１７】
底板１の上面１ｓ側に位置する曲線状側壁３の円弧状側壁部３ｂの上端からは、底板１に略平行に、係止舌片８ｓが、適当数、延設されており、同様に、底板１の下面１ｔ側に位置する曲線状側壁３の円弧状側壁部３ｂの下端からは、底板１に略平行に、係止舌片８ｔが、適当数、延設されている。なお、必要に応じて、底板１の上面１ｓ側に位置する直線状側壁２の上端から、底板１に略平行に、係止舌片を、適当数、延設することも、また、底板１の下面１ｔ側に位置する直線状側壁２の下端から、底板１に略平行に、係止舌片を、適当数、延設することもできるし、更に、必要に応じて、底板１の上面１ｓ側に位置する曲線状側壁３の上端から、底板１に略平行に、係止舌片を、適当数、延設することも、また、底板１の下面１ｔ側に位置する曲線状側壁３の下端から、底板１に略平行に、係止舌片を、適当数、延設することもできる。
【００１８】
また、上面側余長収納領域７ｓ間に位置する底板１の上面１ｓに立設された垂直部９１ｓの上端には、上面側余長収納領域７ｓ方向に延在する係止舌片９ｓが形成されている。同様に、下面側余長収納領域７ｔ間に位置する底板１の下面１ｔに立設された垂直部９１ｔの下端には、下面側余長収納領域７ｔ方向に延在する係止舌片９ｔが形成されている。
【００１９】
底板１の上面１ｓには、直線状側壁２と所定の間隔を置いて、直線状側壁２と平行に、且つ、直線状側壁２と略同じ高さの上面側通路用立て壁１０ｓが立設されている。また、上面側通路用立て壁１０ｓの上端からは、上面側通路用立て壁１０ｓに対して垂直で、且つ、直線状側壁２方向に延在する係止舌片１０１ｓが形成されており、係止舌片１０１ｓと直線状側壁２との間には、光ファイバ心線が挿通可能な間隙が形成されている。更に、上面側通路用立て壁１０ｓと対向する直線状側壁２の上端からは、直線状側壁２に対して垂直で、且つ、上面側通路用立て壁１０ｓ方向に延在する係止舌片１０２ｓが形成されており、係止舌片１０２ｓと上面側通路用立て壁１０ｓとの間には、光ファイバ心線が挿通可能な間隙が形成されている。そして、底板１の上面１ｓと直線状側壁２と上面側通路用立て壁１０ｓと係止舌片１０１ｓ、１０２ｓとにより囲まれた空間部により、上面側光ファイバ心線通路１１ｓが形成されている。このような、底板１の上面１ｓと直線状側壁２と上面側通路用立て壁１０ｓと係止舌片１０１ｓ、１０２ｓとにより形成された上面側光ファイバ心線通路１１ｓは、直線状側壁２に沿って、適当数、形成されている。本実施例には、５個の上面側光ファイバ心線通路１１ｓが形成されている例が示されている。
【００２０】
底板１の下面１ｔにも、直線状側壁２と所定の間隔を置いて、直線状側壁２と平行に、且つ、直線状側壁２と略同じ高さの下面側通路用立て壁１０ｔが垂設されている。また、下面側通路用立て壁１０ｔの下端からは、下面側通路用立て壁１０ｔに対して垂直で、且つ、直線状側壁２方向に延在する係止舌片１０１ｔが形成されており、係止舌片１０１ｔと直線状側壁２との間には、光ファイバ心線が挿通可能な間隙が形成されている。更に、下面側通路用立て壁１０ｔと対向する直線状側壁２の下端からは、直線状側壁２に対して垂直で、且つ、下面側通路用立て壁１０ｔ方向に延在する係止舌片１０２ｔが形成されており、係止舌片１０２ｔと下面側通路用立て壁１０ｔとの間には、光ファイバ心線が挿通可能な間隙が形成されている。そして、底板１の下面１ｔと直線状側壁２と下面側通路用立て壁１０ｔと係止舌片１０１ｔ、１０２ｔとにより囲まれた空間部により、下面側光ファイバ心線通路１１ｔが形成されている。このような、底板１の下面１ｔと直線状側壁２と下面側通路用立て壁１０ｔと係止舌片１０１ｔ、１０２ｔとにより形成された下面側光ファイバ心線通路１１ｔは、直線状側壁２に沿って、適当数、形成されている。本実施例には、５個の下面側光ファイバ心線通路１１ｔが形成されている例が示されている。
【００２１】
底板１の上面１ｓには、上述した上面側通路用立て壁１０ｓに対向するように、平面形状が弓形の上面側ガイド部材１２ｓが立設されている。上面側ガイド部材１２ｓの凸状部は、上面側通路用立て壁１０ｓ側に位置しており、上面側通路用立て壁１０ｓと上面側ガイド部材１２ｓとの間には、光ファイバ心線が挿通可能な間隙が形成されている。
【００２２】
底板１の下面１ｔにも、上述した下面側通路用立て壁１０ｔに対向するように、平面形状が弓形の下面側ガイド部材１２ｔが垂設されている。下面側ガイド部材１２ｔの凸状部は、下面側通路用立て壁１０ｔ側に位置しており、下面側通路用立て壁１０ｔと下面側ガイド部材１２ｔとの間にも、光ファイバ心線が挿通可能な間隙が形成されている。
【００２３】
曲線状側壁３の直線状側壁部３ａに沿った底板１の上面１ｓには、上面側溶着スリーブ収納部１３ｓが、上述した上面側余長収納領域７ｓに対応して配設されている。上面側溶着スリーブ収納部１３ｓは、底板１に穿設された略方形状の透孔１ａの一方の対角線にほぼ沿って、その一部が透孔１ａ内に位置するとともに、底板１の上面１ｓに立設された弾性突片１３１ｓと、透孔１ａのもう一方の対角線にほぼ沿って、底板１の上面１ｓに立設された固定突片１３２ｓとから形成されている。このように、上面側溶着スリーブ収納部１３ｓは、一対の対向するように、且つ、所定の間隔を置いて配置された弾性突片１３１ｓと固定突片１３２ｓとにより構成されており、弾性突片１３１ｓと固定突片１３２ｓとにより、光ファイバ心線を接続する溶着スリーブを、弾性的に挟持するように構成されている。本実施例には、５個所、形成された上面側余長収納領域７ｓに対応して、５個の上面側溶着スリーブ収納部１３ｓが形成されている例が示されている。
【００２４】
同様に、曲線状側壁３の直線状側壁部３ａに沿った底板１の下面１ｔにも、下面側溶着スリーブ収納部１３ｔが、上述した下面側余長収納領域７ｔに対応して配設されている。下面側溶着スリーブ収納部１３ｔも、底板１に穿設された略方形状の透孔１ａの一方の対角線にほぼ沿って、その一部が透孔１ａ内に位置するとともに、底板１の下面１ｔに垂設された弾性突片１３１ｔと、透孔１ａのもう一方の対角線にほぼ沿って、底板１の下面１ｔに垂設された固定突片１３２ｔとから形成されている。このように、下面側溶着スリーブ収納部１３ｔも、一対の対向するように、且つ、所定の間隔を置いて配置された弾性突片１３１ｔと固定突片１３２ｔとにより構成されており、弾性突片１３１ｔと固定突片１３２ｔとにより、光ファイバ心線を接続する溶着スリーブ収納部を、弾性的に挟持するように構成されている。本実施例には、５個所、形成された下面側余長収納領域７ｔに対応して、５個の下面側溶着スリーブ収納部１３ｔが形成されている例が示されている。
【００２５】
上述した上面側溶着スリーブ収納部１３ｓ間に位置する曲線状側壁３の直線状側壁部３ａに沿った底板１の上面１ｓには、両端部が、直線状側壁部３ａに連接されているとともに、底面が、底板１の上面１ｓに連接された、平面形状が略への字状の上面側補強部材１４ｓが形成されている。このような、上面側補強部材１４ｓを形成することにより、曲線状側壁３の強度や剛性を向上することができる。
【００２６】
同様に、上述した下面側溶着スリーブ収納部１３ｔ間に位置する曲線状側壁３の直線状側壁部３ａに沿った底板１の下面１ｔにも、両端部が、直線状側壁部３ａに連接されているとともに、底面が、底板１の下面１ｔに連接された、平面形状が略への字状の下面側補強部材１４ｔが形成されている。このような、下面側補強部材１４ｔを形成することにより、上面側補強部材１４ｓと相まって、曲線状側壁３の強度や剛性を更に向上することができる。
【００２７】
直線状側壁２の外面２ａには、所定の間隔を置いて、雄ヒンジ部材１５が形成されている。雄ヒンジ部材１５は、ほぼ門形に配設されており、雄ヒンジ部材１５の上部は、直線状側壁２の上端から突出するように構成されている。また、雄ヒンジ部材１５の下方に位置する直線状側壁２の外面２ａには、下方が開放されているとともに、直線状側壁２に平行な嵌合溝部１６ａが形成されている雌ヒンジ部材１６が配設されている。図５に示されているように、上に位置する光ファイバ心線トレーＴａの雌ヒンジ部材１６の嵌合溝部１６ａに、下に位置する光ファイバ心線トレーＴｂの雄ヒンジ部材１５の水平部１５ａを嵌合することにより、複数の光ファイバ心線トレーを、ヒンジ連結することができるように構成されている。
【００２８】
曲線状側壁３の直線状側壁部３ａの外面には、所定の間隔を置いて、ほぼ門形の係合部材１７が形成されており、係合部材１７の上部は、直線状側壁部３ａの上端から突出するように構成されている。また、係合部材１７の下方に位置する直線状側壁部３ａの外面には、係合部材１７と直線状側壁部３ａの上端との間に形成されている透孔１７ａに嵌合可能な突部１８が形成されている。図６に示されているように、上に位置する光ファイバ心線トレーＴａの直線状側壁部３ａの外面に形成された突部１８が、下に位置する光ファイバ心線トレーＴｂの直線状側壁部３ａの外面に形成された係合部材１７と直線状側壁部３ａの上端との間に形成されている透孔１７ａに嵌合され、複数個、ヒンジ連結された光ファイバ心線トレーＴ同士が、簡単には離反しないように構成されている。
【００２９】
１９は、直線状側壁２に沿って、且つ、所定の間隔を置いて、底板１を貫通するように形成された円筒部材である。本実施例には、所定の間隔を置いて、２個の円筒部材１９が形成されている例が示されている。光ファイバ心線トレーが収納されるクロージャーに配設された台座に、１番下に位置する光ファイバ心線トレーを取り付ける際には、円筒部材１９及び台座に穿設された透孔に、ボルトを挿通するとともに、ボルトにナットを螺合させることにより、クロージャーに配設された台座に、１番下に位置する光ファイバ心線トレーを取り付けるように構成されている。
【００３０】
次に、主として、図７を用いて、上述した構成を有する光ファイバ心線トレーに、光ファイバ心線を収納する収納方法について説明する。
【００３１】
上面側光ファイバ心線導入部５ｓを構成する複数の光ファイバ心線導入口５１ｓのうち１番上に位置する光ファイバ心線導入口５１ｓに、光ファイバ心線Ｆ１を挿通するとともに、上面側光ファイバ心線導入部５ｓに１番近い上面側通路用立て壁１０ｓと上面側光ファイバ心線導入部５ｓに一番近い上面側ガイド部材１２ｓとの間に、光ファイバ心線Ｆ１を挿通し、その後、上面側光ファイバ心線導入部５ｓに１番近い上面側余長収納領域７ｓに、複数巻回された余長ｆ１を収納し、また、溶着スリーブｆ１１を、上面側光ファイバ心線導入部５ｓに１番近い上面側溶着スリーブ収納部１３ｓを構成する弾性突片１３１ｓと固定突片１３２ｓとにより弾性的に挟持する。その後、再度、光ファイバ心線Ｆ１を、上面側光ファイバ心線導入部５ｓに１番近い上面側通路用立て壁１０ｓと上面側光ファイバ心線導入部５ｓに１番近い上面側ガイド部材１２ｓとの間に挿通し、次いで、上面側光ファイバ心線導入部５ｓから上面側光ファイバ心線導出部６ｓに向かって配置されている上面側光ファイバ心線通路１１ｓのうち、上面側光ファイバ心線導入部５ｓから２番目以降の上面側光ファイバ心線通路１１ｓに、光ファイバ心線Ｆ１を挿通し、その後、上面側光ファイバ心線導出部６ｓを構成する複数の光ファイバ心線導出口６１ｓのうち１番上に位置する光ファイバ心線導出口６１ｓから、光ファイバ心線Ｆ１を排出する。上記の上面側余長収納領域７ｓに収納された余長ｆ１は、上面側余長収納領域７ｓに位置する上述した係止舌片８ｓ及び係止舌片９ｓにより、上方への移動が阻止されるように構成されているとともに、上面側光ファイバ心線通路１１ｓに挿通された光ファイバ心線Ｆ１は、上述した係止舌片１０１ｓ、１０２ｓにより、上面側光ファイバ心線通路１１ｓから抜け出ないように構成されている。
【００３２】
また、２本目の光ファイバ心線Ｆ２は、上面側光ファイバ心線導入部５ｓを構成する複数の光ファイバ心線導入口５１ｓのうち、上から２番目に位置する光ファイバ心線導入口５１ｓに挿通されるとともに、上面側光ファイバ心線導入部５ｓに１番近い上面側光ファイバ心線通路１１ｓに挿通される。次いで、光ファイバ心線Ｆ２は、上面側光ファイバ心線導入部５ｓから２番目の上面側通路用立て壁１０ｓと上面側光ファイバ心線導入部５ｓから２番目の上面側ガイド部材１２ｓとの間に挿通され、その後、上面側光ファイバ心線導入部５ｓから２番目の上面側余長収納領域７ｓに、複数巻回されて余長ｆ２として収納され、また、溶着スリーブｆ２１は、上面側光ファイバ心線導入部５ｓから２番目の上面側溶着スリーブ収納部１３ｓを構成する弾性突片１３１ｓと固定突片１３２ｓとにより弾性的に挟持される。その後、再度、光ファイバ心線Ｆ２は、上面側光ファイバ心線導入部５ｓから２番目の上面側通路用立て壁１０ｓと上面側光ファイバ心線導入部５ｓから２番目の上面側ガイド部材１２ｓとの間に挿通され、次いで、光ファイバ心線Ｆ２は、上面側光ファイバ心線導入部５ｓから上面側光ファイバ心線導出部６ｓに向かって配置されている上面側光ファイバ心線通路１１ｓのうち、上面側光ファイバ心線導入部５ｓから３番目以降の上面側光ファイバ心線通路１１ｓに挿通され、その後、光ファイバ心線Ｆ２は、上面側光ファイバ心線導出部６ｓを構成する複数の光ファイバ心線導出口６１ｓのうち、上から２番目に位置する光ファイバ心線導出口６１ｓから排出される。上記の上面側余長収納領域７ｓに収納された余長ｆ２は、上面側余長収納領域７ｓに位置する上述した係止舌片９ｓにより、上方への移動が阻止されるように構成されているとともに、上面側光ファイバ心線通路１１ｓに挿通された光ファイバ心線Ｆ２は、上述した係止舌片１０１ｓ、１０２ｓにより、上面側光ファイバ心線通路１１ｓから抜け出ないように構成されている。
【００３３】
更に、３本目の光ファイバ心線Ｆ３は、上面側光ファイバ心線導入部５ｓを構成する複数の光ファイバ心線導入口５１ｓのうち、上から３番目に位置する光ファイバ心線導入口５１ｓに挿通されるとともに、上面側光ファイバ心線導入部５ｓに１番近い上面側光ファイバ心線通路１１ｓ及び上面側光ファイバ心線導入部５ｓから２番目の上面側光ファイバ心線通路１１ｓに挿通される。次いで、光ファイバ心線Ｆ３は、上面側光ファイバ心線導入部５ｓから３番目の上面側通路用立て壁１０ｓと上面側光ファイバ心線導入部５ｓから３番目の上面側ガイド部材１２ｓとの間に挿通され、その後、上面側光ファイバ心線導入部５ｓから３番目の上面側余長収納領域７ｓに、複数巻回されて余長ｆ３として収納され、また、溶着スリーブｆ３１は、上面側光ファイバ心線導入部５ｓから３番目の上面側溶着スリーブ収納部１３ｓを構成する弾性突片１３１ｓと固定突片１３２ｓとにより弾性的に挟持される。その後、再度、光ファイバ心線Ｆ３は、上面側光ファイバ心線導入部５ｓから３番目の上面側通路用立て壁１０ｓと上面側光ファイバ心線導入部５ｓから３番目の上面側ガイド部材１２ｓとの間に挿通され、次いで、光ファイバ心線Ｆ３は、上面側光ファイバ心線導入部５ｓから上面側光ファイバ心線導出部６ｓに向かって配置されている上面側光ファイバ心線通路１１ｓのうち、上面側光ファイバ心線導入部５ｓから４番目以降の上面側光ファイバ心線通路１１ｓに挿通され、その後、光ファイバ心線Ｆ３は、上面側光ファイバ心線導出部６ｓを構成する複数の光ファイバ心線導出口６１ｓのうち、上から３番目に位置する光ファイバ心線導出口６１ｓから排出される。上記の上面側余長収納領域７ｓに収納された余長ｆ３は、上面側余長収納領域７ｓに位置する上述した係止舌片９ｓにより、上方への移動が阻止されるように構成されているとともに、上面側光ファイバ心線通路１１ｓに挿通された光ファイバ心線Ｆ３は、上述した係止舌片１０１ｓ、１０２ｓにより、上面側光ファイバ心線通路１１ｓから抜け出ないように構成されている。
【００３４】
更にまた、４本目の光ファイバ心線Ｆ４は、上面側光ファイバ心線導入部５ｓを構成する複数の光ファイバ心線導入口５１ｓのうち、上から４番目に位置する光ファイバ心線導入口５１ｓに挿通されるとともに、上面側光ファイバ心線導入部５ｓに１番近い上面側光ファイバ心線通路１１ｓ、上面側光ファイバ心線導入部５ｓから２番目の上面側光ファイバ心線通路１１ｓ及び上面側光ファイバ心線導入部５ｓから３番目の上面側光ファイバ心線通路１１ｓに挿通される。次いで、光ファイバ心線Ｆ４は、上面側光ファイバ心線導入部５ｓから４番目の上面側通路用立て壁１０ｓと上面側光ファイバ心線導入部５ｓから４番目の上面側ガイド部材１２ｓとの間に挿通され、その後、上面側光ファイバ心線導入部５ｓから４番目の上面側余長収納領域７ｓに、複数巻回されて余長ｆ４として収納され、また、溶着スリーブｆ４１は、上面側光ファイバ心線導入部５ｓから４番目の上面側溶着スリーブ収納部１３ｓを構成する弾性突片１３１ｓと固定突片１３２ｓとにより弾性的に挟持される。その後、再度、光ファイバ心線Ｆ４は、上面側光ファイバ心線導入部５ｓから４番目の上面側通路用立て壁１０ｓと上面側光ファイバ心線導入部５ｓから４番目の上面側ガイド部材１２ｓとの間に挿通され、次いで、光ファイバ心線Ｆ４は、上面側光ファイバ心線導入部５ｓから上面側光ファイバ心線導出部６ｓに向かって配置されている上面側光ファイバ心線通路１１ｓのうち、上面側光ファイバ心線導入部５ｓから５番目の上面側光ファイバ心線通路１１ｓ、換言すれば、上面側光ファイバ心線導出部６ｓに１番近い上面側光ファイバ心線通路１１ｓに挿通され、その後、光ファイバ心線Ｆ４は、上面側光ファイバ心線導出部６ｓを構成する複数の光ファイバ心線導出口６１ｓのうち、上から４番目に位置する光ファイバ心線導出口６１ｓから排出される。上記の上面側余長収納領域７ｓに収納された余長ｆ４は、上面側余長収納領域７ｓに位置する上述した係止舌片９ｓにより、上方への移動が阻止されるように構成されているとともに、上面側光ファイバ心線通路１１ｓに挿通された光ファイバ心線Ｆ４は、上述した係止舌片１０１ｓ、１０２ｓにより、上面側光ファイバ心線通路１１ｓから抜け出ないように構成されている。
【００３５】
なお更に、５本目の光ファイバ心線Ｆ５は、上面側光ファイバ心線導入部５ｓを構成する複数の光ファイバ心線導入口５１ｓのうち、上から５番目に位置する光ファイバ心線導入口５１ｓに挿通されるとともに、上面側光ファイバ心線導入部５ｓに１番近い上面側光ファイバ心線通路１１ｓ、上面側光ファイバ心線導入部５ｓから２番目の上面側光ファイバ心線通路１１ｓ、上面側光ファイバ心線導入部５ｓから３番目の上面側光ファイバ心線通路１１ｓ及び上面側光ファイバ心線導入部５ｓから４番目の上面側光ファイバ心線通路１１ｓに挿通される。次いで、光ファイバ心線Ｆ５は、上面側光ファイバ心線導入部５ｓから５番目の上面側通路用立て壁１０ｓと上面側光ファイバ心線導入部５ｓから５番目の上面側ガイド部材１２ｓとの間に挿通され、その後、上面側光ファイバ心線導入部５ｓから５番目の上面側余長収納領域７ｓに、換言すれば、上面側光ファイバ心線導出部６ｓに１番近い上面側余長収納領域７ｓに、複数巻回されて余長ｆ５として収納され、また、溶着スリーブｆ５１は、上面側光ファイバ心線導入部５ｓから５番目の上面側溶着スリーブ収納部１３ｓを構成する弾性突片１３１ｓと固定突片１３２ｓとにより弾性的に挟持される。その後、再度、光ファイバ心線Ｆ５は、上面側光ファイバ心線導入部５ｓから５番目の上面側通路用立て壁１０ｓと上面側光ファイバ心線導入部５ｓから５番目の上面側ガイド部材１２ｓとの間に挿通され、次いで、光ファイバ心線Ｆ５は、上面側光ファイバ心線導出部６ｓを構成する複数の光ファイバ心線導出口６１ｓのうち、上から５番目に位置する光ファイバ心線導出口６１ｓから排出される。上記の上面側余長収納領域７ｓに収納された余長ｆ５は、上面側余長収納領域７ｓに位置する上述した係止舌片８ｓ及び係止舌片９ｓにより、上方への移動が阻止されるように構成されているとともに、上面側光ファイバ心線通路１１ｓに挿通された光ファイバ心線Ｆ５は、上述した係止舌片１０１ｓ、１０２ｓにより、上面側光ファイバ心線通路１１ｓから抜け出ないように構成されている。
【００３６】
上述した上面側余長収納領域７ｓへの光ファイバ心線Ｆ１〜Ｆ５の余長ｆ１１〜ｆ５１の収納作業と同様に、底板１の下面１ｔに形成された下面側余長収納領域７ｔにも、それぞれ、光ファイバ心線の余長の収納作業を行う。
【００３７】
上述したように、本発明の光ファイバ心線トレーに形成された各余長収納領域（各上面側余長収納領域７ｓ及び各下面側余長収納領域７ｔ）には、それぞれ、１本の光ファイバ心線トレーの余長のみが収納されるように構成されているので、１つの余長収納領域に、複数本の光ファイバ心線がまとめて収納されている従来の光ファイバ心線トレーに比べ、配線替え作業等の作業の必要な所望の光ファイバ心線を容易に探し出すことができ、従って、配線替え作業等の作業性が向上する。
【００３８】
また、上述したように、本発明の光ファイバ心線トレーに形成された各余長収納領域（各上面側余長収納領域７ｓ及び各下面側余長収納領域７ｔ）には、それぞれ、１本の光ファイバ心線トレーの余長のみが収納されるように構成されているので、配線替え作業等の作業を必要としない光ファイバ心線を動かすようなことはないので、配線替え作業等の作業を必要としない光ファイバ心線の伝送エラーの誘発や光ファイバ心線の損傷を防止することができる。
【００３９】
更に、上述したように、本発明の光ファイバ心線トレーには、底板１の上面１ｓに、上面側余長収納領域７ｓが形成されているとともに、底板１の下面１ｔにも、下面側余長収納領域７ｔが形成されているので、光ファイバ心線トレーの収納効率が向上する。
【図面の簡単な説明】
【００４０】
【図１】図１は、本発明の光ファイバ心線トレーの斜視図である。
【図２】図２は、本発明の光ファイバ心線トレーの部分拡大斜視図である。
【図３】図３は、同じく本発明の光ファイバ心線トレーの部分拡大斜視図である。
【図４】図４は、本発明の２つの光ファイバ心線トレーがヒンジ連結された状態の斜視図である。
【図５】図５は、本発明の光ファイバ心線トレーが複数ヒンジ連結された状態のヒンジ連結部付近の部分垂直断面図である。
【図６】図６は、本発明の光ファイバ心線トレーが複数ヒンジ連結された状態の係合部材付近の部分垂直断面図である。
【図７】図７は、余長が収納された状態の本発明の光ファイバ心線トレーの平面図である。
【符号の説明】
【００４１】
Ｆ１〜Ｆ５・・・・・・光ファイバ心線
Ｔ・・・・・・・・・・光ファイバ心線トレー
１・・・・・・・・・・底板
２・・・・・・・・・・直線状側壁
３・・・・・・・・・・曲線状側板
５ｓ・・・・・・・・・上面側光ファイバ心線導入部
５ｔ・・・・・・・・・下面側光ファイバ心線導入部
６ｓ・・・・・・・・・上面側光ファイバ心線導出部
６ｔ・・・・・・・・・下面側光ファイバ心線導出部
７ｓ・・・・・・・・・上面側余長収納領域
７ｔ・・・・・・・・・下面側余長収納領域
【図１】
2005070478.tif 000003
【図２】
2005070478.tif 000004
【図３】
2005070478.tif 000005
【図４】
2005070478.tif 000006
【図５】
2005070478.tif 000007
【図６】
2005070478.tif 000008
【図７】
2005070478.tif 000009